(57)【特許請求の範囲】
【請求項１】
内部に遅燃材（４０）を収納する保護筒（１０）と、この保護筒（１０）の側面に形成した複数の導火線挿通孔（１２）及び受皿支持孔（１１）と、この受皿支持孔（１１）に挿入部（２１）を挿入することにより保護筒（１０）の側面で支持される複数の火薬受皿（２０）と、これらの火薬受皿（２０）上にそれぞれ載置される火薬（３０）とを備えて、
この火薬（３０）の導火線（３１）を導火線挿入孔（１２）から保護筒の内部に通して遅燃材（４０）に当接させた状態で、この遅燃材（４０）を一端から燃焼させることにより、各導火線（３１）に時間をおいて順次点火できるようにするとともに、
遅燃材（４０）は、複数のクランク状部分を交互に連続させて、導火線（３１）を接触し得る複数の段部（４１）を有したものとして構成したことを特徴とする鳥獣おどし（１００）。
【請求項２】
火薬（３０）を載置した各火薬受皿（２０）を支持した保護筒（１０）を、爆音排出口（５１）を有した運搬箱（５０）内に収納したことを特徴とする請求項１に記載の鳥獣おどし（１００）。
【発明の詳細な説明】
【技術分野】
本発明は、鳥獣おどしに関し、特に、火薬の爆音によって鳥獣を追い払うようにした鳥獣おどしに関するものである。
【背景技術】
畑の作物等を食い荒す鳥獣、例えばスズメ、カラス、イノシシ等は、畑に近づかせてはならないし、畑から追い払わなければならない。そのための手段としては、古来より種々な方法が採られてきているが、大きな音で威嚇するのが最も効果的であることが知られており、そのための手段も種々提案されてきている。
例えば、特開平８−１５４５６６号公報には、第５図にも示すように、「耕作地、植林地域、畜舎等への有害な鳥獣の侵入を破裂音の発生によって防ぐ破裂音式鳥獣威嚇装置を提供する」ことを目的として、「装置本体２に対し、表面燃焼をする着火体３と、この着火体３を支持する着火体支持体１２と、前記着火体３に導火線４Ａを接触させた破裂体４とを具備させ、前記着火体３を燃焼させることによって経時的に破裂体４の導火線４Ａに着火させて破裂体４を破裂させ、この破裂音により鳥獣類を威嚇する装置において、前記着火体３は渦巻状に形成され、且つ着火体支持体１２に対しその長さ方向に満遍なく支持された状態で、装置本体２にほぼ覆われた状態に収納されていることを特徴とする」「破裂音式鳥獣威嚇装置」が提案されている。
この第５図に示した従来の威嚇装置は、図示したように、うず巻状に形成した着火体３に導火線４Ａを接触させた破裂体４を具備させたものであり、このような考え方は、登録実用新案第３７４１２号公報、実開昭８−５２９７６号公報、特開平１０−５２２１２号公報等に多く見受けられるものである。これらの技術の殆どにおいて、例えば第５図に示したように、うず巻状の着火体３に複数の破裂体（火薬）を近接状態で吊下させたものである。
このようなうず巻状の着火体３に複数の破裂体４を吊下させると、次のような不具合があると考えられる。まず、第１に、着火体３により着火された１番目の破裂体４が爆発すると、着火体３は粉々になってしまって、未だ爆発していない他の破裂体４に着火できなくなってしまう。そして、第２に、１番目の破裂体４が爆発すると、これに接近している２番目の破裂体４が誘爆してこれが次々と他の破裂体４に及ぶことになる。いずれにしても、時間をおいて破裂体４を爆発させたいのに、１回で全てが終わってしまうということになる。
以上の問題を解決する従来手段として、例えば、登録第３０１９９９２号掲載公報にて提案されている「鳥獣撃退器」がある。この撃退器は、第６図にも示すように、「隔時間毎に爆音を発生させて鳥獣を撃退して農作物の鳥獣による被害を防止することのできる安価な鳥獣撃退器を提供すること」を目的として、「内部の一部が連通する連通部５に形成されるとともに、内部の残りの部分が仕切部材７により前記連通部５と隣接するように仕切られた複数の空間部８に形成されており、前記連通部５と各空間部８との隔壁４にそれぞれ導火線挿入孔１８が形成されたケース本体１９と、前記連通部５に着脱自在に配設される長尺の緩燃部材９と、前記各空間部８内に配設された支承部材１５により支承され前記緩燃部材９と導火線１６をもって緩燃部材９に所定間隔をもって接続される複数の爆音部材１７とから構成されることを特徴とする」構成を有したものである。
この第６図に示した従来の鳥獣撃退器は、複数の爆音部材１７が、仕切部材７と隔壁４とによって区画された複数の空間部８内に収納されるし、爆音部材１７の導火線１６は、隔壁４の外側に配置されるため、各爆音部材１７が誘爆されることはない。また、各導火線１６に着火するための緩燃部材９も隔壁４の外側にあるため、各爆音部材１７による爆風は隔壁４によって遮ぎられて、この緩燃部材９が粉々になってしまうこともないと考えられる。
しかしながら、各爆音部材１７を収納している各空間部８は非常に小さいものであり、しかも小さな開放口１Ｂによってしか外部に通じていない。このため、爆風によって側壁６や仕切部材７が破断し、開放口１Ｂもひき裂かれてしまうものと考えられる。そうはならないようにしようとすれば、爆音部材１７として小さいものを使用しなければならず、それでは鳥獣を威嚇することはできなくなると思われる。
また、仮に破断やひき裂きが生じないとしても、各爆音部材１７の導火線１６は、隔壁４に形成してある導火線挿入孔１８内に横から通さなければならず、その下準備に相当時間のかかるものとなっていると考えられる。
そこで、本発明者は、第５図や第６図に示した従来の威嚇装置の欠点を改善するためにはどうしたらよいか、について種々検討を重ねてきた結果、本発明を完成したのである。
すなわち、本発明の目的とするところは、各火薬が誘爆を起こさないことは勿論、遅燃材の破損も生じず、鳥獣を十分撃退することのできる大きな爆音を発生させ、さらには、設置のための下準備を簡単に行うことのできる鳥獣おどしを提供することにある。
【発明の開示】
以上の目的を達成するために、まず請求の範囲第１項に係る発明の採った手段は、後述する最良形態の説明中において使用する符号を付して説明すると、
「内部に遅燃材４０を収納する保護筒１０と、この保護筒１０の側面に形成した複数の導火線挿通孔１２及び受皿支持孔１１と、この受皿支持孔１１に挿入部２１を挿入することにより保護筒１０の側面で支持される複数の火薬受皿２０と、これらの火薬受皿２０上にそれぞれ載置される火薬３０とを備えて、
火薬３０の導火線３１を導火線挿入孔１２から保護筒の内部に通して遅燃材４０に当接させた状態で、この遅燃材４０を一端から燃焼させることにより、各導火線３１に時間をおいて順次点火できるようにするとともに、
遅燃材４０は、複数のクランク状部分を交互に連続させて、導火線３１を接触し得る複数の段部４１を有したものとして構成したことを特徴とする鳥獣おどし１００」
である。
すなわち、この鳥獣おどし１００は、第１図に示すように、まず、遅燃材４０を内部に入れるための保護筒１０の外側に、各火薬３０をそれぞれ載置する火薬受皿２０を取り付るようにしたものであり、各火薬３０の爆風が保護筒１０内に入らないようにするとともに、他の火薬３０に対してはそれが載置されている火薬受皿２０によって誘爆するのを防ぐようにしているのである。
また、この鳥獣おどし１００では、各火薬３０は、第４図に示すように、１つ宛の火薬受皿２０上に単に載置するだけであるし、その導火線３１は、当該火薬受皿２０を保護筒１０の受皿支持孔１１に挿入する際に、この受皿支持孔１１とともに、その直近に形成してある導火線挿入孔１２内に挿入するだけで下準備が完了するため、組み立て及び下準備を簡単に行えるものとなっているのである。
各火薬３０の導火線３１は、遅燃材４０に当接させておかなければならないが、その作業も、次のように簡単に行えるものとなっている。すなわち、前述した各導火線３１の、火薬受皿２０側の挿入部２１とともに挿入作業を行う前に、遅燃材４０を保護筒１０内に少し下げた状態で吊下しておき、各導火線３１の導火線挿入孔１２内への挿入が済んだときに、この遅燃材４０を少し持ち上げるようにして、吊りひも４２で吊下状態にするのである。このようにすれば、遅燃材４０が下げられているときには、第３図に示した遅燃材４０の段部４１上に導火線３１が入り込み易くなっているし、遅燃材４０を少し持ち上げたときには、段部４１上に入り込んだ導火線３１が確実に段部４１上に当接することになって、準備作業が簡単になっているのである。
勿論、この鳥獣おどし１００においては、各火薬３０は、保護筒１０及び火薬受皿２０以外は完全に開放されたものとなっているため、各火薬３０が爆発したときの音は周囲にエネルギーロスなしに拡散されるから、害を及ぼす鳥獣を十分威嚇することができるのである。それだけでなく、各火薬３０に近接している保護筒１０及び火薬受皿２０が爆風によって破損することもないのである。
ここで、各火薬３０の爆発状況を説明してみると、次の通りである。まず、第１図に示した状態に当該鳥獣おどし１００を下準備しておいてから、保護筒１０内の遅燃材４０の下端に火を付ける。そうすると、この遅燃材４０は下から順にゆっくりと燃えていき、一番下側になっている導火線３１に着火し、結果として一番下側の火薬３０（最良形態では、同一位置にある最下段の２つの火薬３０）が爆発して、大きな威嚇音を発することになる。
この最初の火薬３０の爆発によっては、保護筒１０内の遅燃材４０は破損しないで燃え続けるし、上側の火薬３０に対しては火薬受皿２０によって爆風や火花が遮ぎられるから、各火薬３０が誘爆を起こすことはないことは前述した通りである。
その後、遅燃材４０が次の段部４１まで燃えていけば、この上にある次の導火線３１に着火されて、その火薬３０が爆発することになる。なお、各段部４１間の遅燃材４０が燃える時間は、遅燃材４０の材料性質によって予め計算できるものである。このため、使用する段部４１の間隔、従って、どの火薬受皿２０に火薬３０を置くかを予め調整することにより、ランダムな時間間隔で火薬３０を爆発させることができて、鳥獣に「慣れ」が生じないように威嚇することができるのである。
ここで、この鳥獣おどし１００においては、これを構成している遅燃材４０は、複数のクランク状部分を交互に連続させて、導火線３１を接触し得る複数の段部４１を有したものとして構成したものであった。
すなわち、この鳥獣おどし１００では、第３図に示すように、その遅燃材４０の形状としてクランク状部分が互いに連続する縦長のものに形成したものであり、当該遅燃材４０は、各火薬３０の導火線３１を接触状態で載置することになる複数の段部４１を有したものとなっているのである。各段部４１は、当該遅燃材４０の上端を、これに取付けた吊りひも４２等を使用して、保護筒１０自体または後述する運搬箱５０に対して吊下したとき、略水平状のものとなるものであり、その上方は、導火線３１を挿通するのに十分な開口を形成するものである。
このような遅燃材４０とするには、蚊取り線香を製造するための材料を型込めして乾燥させることにより簡単に形成できるが、何と言っても、クランク状部分が交互に連続する形状であるため、多数の段部４１を形成し易いだけでなく、各クランク状部分が燃える時間を設定して、どの段部４１を使用するかを考慮することにより、各火薬３０の爆発時間をどれ位にするかを簡単に調整することができる。例えば、１つのクランク状部分を２０分間で燃えるように設定すれば、各段部４１は２０分ごとに爆発することになる。勿論、最初は２０分毎で、次からはその倍数の時間で夕方まで機能するように設定することもできる。
なお、第３図に示した遅燃材４０は、３個分のクランク状部分が交互に連続するものを例示しているが、前述した爆発時間をより複雑化するために、このクランク状部分の数を増加したり、クランク状部分自体の燃焼時間を遅燃材４０の厚さやクランク状部分の大きさを変えたりして、自由に調整または設定することができるものである。
従って、この請求の範囲第１項に係る鳥獣おどし１００は、各火薬が誘爆を起こさないことは勿論、遅燃材の破損も生じず、鳥獣を十分撃退することのできる大きな爆音を発生させ、さらには、設置のための下準備を簡単に行うことのできる他、各火薬３０の爆発をより効果的に行えるものとなっているだけでなく、その爆発時間の調整や設定を、例えば鳥獣が慣れてしまわないように、自由に設定し得るものとなっているのである。
さて、上記目的を達成するために、請求の範囲第２項に記載の発明の採った手段は、上記請求の範囲第１項に係る鳥獣おどし１００について、
「火薬３０を載置した各火薬受皿２０を支持した保護筒１０を、爆音排出口５１を有した運搬箱５０内に収納したこと」
である。
すなわち、この請求の範囲第２項に係る鳥獣おどし１００は、第２図に示したように、火薬３０を載せた各火薬受皿２０を取り付けた保護筒１０を、例えば側面等に爆音排出口５１を形成した運搬箱５０内に収納したものである。この運搬箱５０は、屋根部５２を有したものであり、この屋根部５２によって運搬箱５０内に収納した保護筒１０の各火薬３０が、雨やつゆによって濡れないようにするものである。また、この屋根部５２は、運搬箱５０自体に対して着脱自在にしてあり、これを運搬箱５０に取り付けるとき、遅燃材４０を吊りひも４２によって適宜位置に吊下するようにするものでもある。
この運搬箱５０は、多数の火薬３０をセットした保護筒１０の全体をスッポリと収納できる程度の大きさであり、しかも、側面には爆音排出口５１が、また屋根部５２の下方は横に大きく開放したものとしてあるため、各火薬３０が爆発しても、その爆風はこれらの開放部分や爆音排出口５１から外に出てしまい、保護筒１０や火薬受皿２０、さらには遅燃材４０を破損させてしまうことはない。
従って、この請求の範囲第２項に係る鳥獣おどし１００は、前述の請求の範囲第１項のそれと同様な機能を発揮することができる他、雨が降るようなときでも、使用することができ、また夕方仕掛けて翌日本格的に使用することもできるものとなっているのである。
【図面の簡単な説明】
第１図は、請求の範囲第１項に係る鳥獣おどし１００の縦断面図であり、第２図は、第１図の保護筒１０を運搬箱５０内に入れて構成した鳥獣おどし１００の縦断面図であり、第３図は、遅燃材４０の拡大正面図であり、第４図は、火薬３０を載せた火薬受皿２０の平面図である。
また、第５図は従来の技術を示す斜視図であり、第６図は、別の従来例を示す斜視図である。
【符号の説明】
１００…鳥獣おどし、１０…保護筒、１１…受皿支持孔、１２…導火線挿入孔、２０…火薬受皿、２１…挿入部、３０…火薬、３１…導火線、４０…遅燃材、４１…段部、４２…吊りひも、５０…運搬箱、５１…爆音排出口、５２…屋根部。
【発明を実施するための最良の形態】
次に、以上のように構成した各発明を、図面に示した最良の形態である鳥獣おどし１００について説明すると、第１図には、請求の範囲第１項または第２項に係る鳥獣おどし１００が示してある。
この鳥獣おどし１００は、第１図に示したように、内部に遅燃材４０を収納する保護筒１０と、この保護筒１０の側面に形成した複数の導火線挿通孔１２及び受皿支持孔１１と、この受皿支持孔１１に挿入部２１を挿入することにより保護筒１０の側面で支持される複数の火薬受皿２０と、これらの火薬受皿２０上にそれぞれ載置される火薬３０とを備えたものである。
保護筒１０は、火薬３０の爆風に耐えられる金属板等によって、上下が開口した筒状（四角や三角のような角筒であっても、また円筒であってもよい）に形成したものであり、その側面には、後述する火薬受皿２０の挿入部２１が挿入できる受皿支持孔１１と、火薬３０の導火線３１が挿入できる導火線挿入孔１２とを形成したものである。これらの受皿支持孔１１及び導火線挿入孔１２は、別々に形成して実施してもよいが、本最良形態では、挿入部２１の挿入と同時に導火線３１の挿入もできるようにするために、同じ位置または兼用するものとして形成してある。
各受皿支持孔１１に支持されるべき火薬受皿２０は、第４図に示したように、市販の爆竹である火薬３０を載置できる程度の大きさを有する金属製のものであり、その一部には前述した受皿支持孔１１に挿入されるべき挿入部２１が一体的に形成してある。
各火薬受皿２０上に載置されるべき火薬３０は、第４図にも示した通り、所謂「爆竹」であり、導火線３１を有するとともに、大きな音を出すが爆発力はそれ程大きなものではない。勿論、この火薬３０としては、導火線３１を有しているのであれば爆竹以外の火薬を採用するようにしてもよい。
各導火線３１に着火するための遅燃材４０は、第３図に示したように、複数のクランク状部分が交互に連続するものとして形成したものであり、例えば線香や蚊取り線香を作るのと同じような材料を型に入れて乾燥させて形成したものである。この遅燃材４０を複数のクランク状部分を連続させて形成したのは、各導火線３１を載置することのできる段部４１を多数形成できて、保護筒１０内に十分入れられるようにするためであり、第５図の従来例が採用しているうず巻状のものとは全く形状を異にしたものである。
勿論、この遅燃材４０は、その厚さや材料を変えることにより、１コ分のクランク状部分が燃えつきる時間を自由に設定できるものであり、また各クランク状部分の数も保護筒１０の高さ範囲内で自由に設定できるものである。また、この遅燃材４０は、保護筒１０自体または後述する運搬箱５０に対して吊下して使用することになるものであるから、その上端には吊りひも４２が取り付けてある。
第２図には、請求の範囲第３項に係る鳥獣おどし１００が示してあるが、この鳥獣おどし１００は、必要な火薬３０及び火薬受皿２０を設定した保護筒１０を仲に完全に入れることのできる運搬箱５０をも構成要素とするものである。この運搬箱５０は、保護筒１０を内部に入れることにより、保護筒１０に設置した各火薬３０を雨つゆから守るものである。
また、この運搬箱５０は、第２図にも示したように、その側面に爆音排出口５１を形成したものであり、この爆音排出口５１から各火薬３０が爆発することにより生じた爆音や爆風を、保護筒１０やこれに取り付けた火薬受皿２０に損傷を与えないように外部へ発散させるためのものである。そして、この運搬箱５０の上部には、左右を開放させた屋根部５２が着脱自在に取り付けられるものであり、この屋根部５２の内側には、遅燃材４０側の吊りひも４２を取り付ける部分が形成してある。
【産業上の利用可能性】
以上、詳述した通り、本発明においては、
「内部に遅燃材４０を収納する保護筒１０と、この保護筒１０の側面に形成した複数の導火線挿通孔１２及び受皿支持孔１１と、この受皿支持孔１１に挿入部２１を挿入することにより保護筒１０の側面で支持される複数の火薬受皿２０と、これらの火薬受皿２０上にそれぞれ載置される火薬３０とを備えて、
火薬３０の導火線３１を導火線挿入孔１２から保護筒の内部に通して遅燃材４０に当接させた状態で、この遅燃材４０を一端から燃焼させることにより、各導火線３１に時間をおいて順次点火できるようにするとともに、
遅燃材４０は、複数のクランク状部分を交互に連続させて、導火線３１を接触し得る複数の段部４１を有したものとして構成したこと」
にその構成上の主たる特徴があり、これにより、各火薬３０が誘爆を起こさないことは勿論、遅燃材４０の破損も生じず、鳥獣を十分撃退することのできる大きな爆音を発生させ、さらには、設置のための下準備を簡単に行うことのできて、特に農業上利用するのに大きな可能性を有しているものである。
特に、消耗品である火薬３０として、安価に入手できる爆竹を採用した場合には、この鳥獣おどし１００を数多く設置することが可能となり、しかも各火薬３０の取り付けも安易に行うことができるのである。
【図１】
0004052332.tif 000002
【図２】
0004052332.tif 000003
【図３】
0004052332.tif 000004
【図４】
0004052332.tif 000005
【図５】
0004052332.tif 000006
【図６】
0004052332.tif 000007